(57)【要約】【課題】簡素な構成でカーテン生地のセットが容易でありながら良好な襞を確実に附形できるカーテンの襞付け方法を提供する。【解決手段】予め襞形状に湾曲させた二枚の波形型紙２１の間にカーテン生地２０を挟み込んだ挟持体２５の各山部２５ａの裏面に、該各山部２５ａと同じ形状の支持面１１ｃを有する保形部材１１を配したうえで、これらの外周を帯ベルト１５で圧締めした状態で蒸熱する。各保形部材１１を互いに連結して一つの襞付け器具１０とし、挟持体２５を襞付け器具１０上に載置セットする。帯ベルト１５の内側には、添え板１６を配している。各保形部材１１は中空筒状であり、全体にわたって複数の通気孔１３を穿設している。【選択図】図４
2011256478.tif 000002
【特許請求の範囲】
【請求項１】
カーテン生地に熱を加えて襞を附形するカーテンの襞付け方法であって、
予め襞形状に湾曲させた二枚の波形型紙の間にカーテン生地を挟み込んだ挟持体に対し、該挟持体の襞形状の各山部の裏面に、それぞれ前記各山部と同じ形状の支持面を有する保形部材を配したうえで、これらの外周を帯ベルトで圧締めした状態で蒸熱して、前記カーテン生地に襞を附形する、カーテンの襞付け方法。
【請求項２】
前記各保形部材は互いに連結されて、複数の保形部材が並列した一つの襞付け器具とされており、
前記二枚の型紙の間にカーテン生地を挟み込んだ挟持体を、前記襞付け器具上に載置する、請求項１に記載のカーテンの襞付け方法。
【請求項３】
前記襞付け器具は、前記各保形部材の間隔を拡縮可能なように左右方向へ伸縮自在であり、
前記挟持体は、前記襞付け器具を拡げた状態で載置し、前記帯ベルトで圧締めする際に、前記挟持体の襞形状の谷部を前記各保形部材の間に挟み込む、請求項１または請求項２に記載のカーテンの襞付け方法。
【請求項４】
前記帯ベルトで圧締めする際に、該帯ベルトの内側に添え板を配している、請求項１ないし請求項３のいずれかに記載のカーテンの襞付け方法。
【請求項５】
前記帯ベルトの端部には、面ファスナーが設けられている、請求項１ないし請求項４のいずれかに記載のカーテンの襞付け方法。
【請求項６】
カーテン生地を襞形状に保形した状態で蒸熱して、前記カーテン生地に襞を附形する際に前記襞形状を保形するための襞付け器具であって、
それぞれ前記襞形状の山部と同じ形状の支持面を有する複数の保形部材が並設されており、
前記各保形部材が、該各保形部材に回動自在に軸支されたリンクを介して、互いの間隔を拡縮自在に連結されている、襞付け器具。
【請求項７】
前記各保形部材は、平坦な底面を有する中空筒状を呈する、請求項６に記載の襞付け器具。
【請求項８】
前記各保形部材には、全体にわたって複数の通気孔が穿設されている、請求項６または請求項７に記載の襞付け器具。
【発明の詳細な説明】
【技術分野】
【０００１】
本発明は、カーテンに襞を付ける方法と、これに用いる襞付け器具に関する。
【背景技術】
【０００２】
従来から、カーテンへ室内インテリア的な要素を付与して意匠性を高めるため、上下方向のドレープと呼ばれる襞が形成されている。当該襞の形成方法としては、大別すると二種類ある。第１の方法としては、カーテン生地の上縁を幅方向に重ねて縫製し、複数のタックを形成する方法である。第２の方法では、カーテン生地を二枚の波形型紙の間に挟んで加熱冷却することで、襞を附形する方法である。しかし、第１の方法では、複数のタックを形成する分カーテンの幅寸法が減少してしまう。また、タックの直下では襞が良好に現出しているとしても、カーテンの下部では襞が崩れてしまい、カーテンの上下両端に亘って綺麗な襞を形成することは困難であった。
【０００３】
第２の方法としては、例えば下記特許文献１がある。特許文献１では、予め襞形状に湾曲させた二枚の波形型紙を伸長させた状態で両型紙の間にカーテン生地を挟み込んだ後、型紙の波形を復元させ、これに蒸熱と冷却とを繰り返してカーテン生地に襞を附形している。詳しくは、二枚の型紙を上下に重ねた状態でその一端を固定し、他端から上方の型紙を捲り上げてカーテン生地を挟み込む。次いで、カーテン生地を挟んだ二枚の型紙の上下両方向から複数の棒状の押圧部材を交互に押し当てて襞形状を安定させる。そのうえで、これらの上面及び下面に板部材を当てたうえで紐で固定し、処理釜において１１０℃以上の過熱蒸気での蒸熱と冷却とを繰り返している。
【０００４】
また、カーテン生地を両方向から挟んだ状態で加熱冷却して襞を附形する技術として、ほかに特許文献２や特許文献３がある。これらは、それぞれ複数の押圧部材が等間隔に配され、双方の押圧部材が互い違いとなる上枠と下枠とによってカーテン生地を波状に挟み込んだ状態で、加熱冷却している。特許文献２では、各押圧部材の先端にヒータパイプを設けている。特許文献３では、上枠と下枠とで挟んだカーテン生地の両端をクリップ固定できる構成となっている。
【０００５】
また、特許文献１の改良技術として、特許文献４や特許文献５もある。特許文献４では、全体に亘って複数の通気孔が穿設された所定の襞形状を有する通気性襞型上にカーテン生地を載置し、襞型の下方から吸引することでカーテン生地を襞型に固定している。これにより、カーテン生地が襞型の襞形状に沿って配される。そして、襞型と共にカーテン生地を移動させながら熱風によって附形することで、連続処理を可能としている。特許文献５では、カーテン生地に熱可塑性樹脂および熱硬化性樹脂の混合物を含浸させ、熱硬化性樹脂が硬化しない程度の低温で乾燥し、次いで所望のカーテンの形状に縫製した後、該カーテン生地を密閉可能な襞付プレスの上型と下型との間に挟み、一方の型から過熱蒸気を噴出することによりカーテン生地を蒸熱で処理して熱硬化性樹脂を硬化させ、冷却している。
【先行技術文献】
【特許文献】
【０００６】
【特許文献１】特公平４−２３０２５号公報
【特許文献２】特開平９−１１１６５２号公報
【特許文献３】特開２００４−２４４７４４号公報
【特許文献４】特開平９−１３２８６６号公報
【特許文献５】特開平８−１８７１６１号公報
【発明の開示】
【発明が解決しようとする課題】
【０００７】
特許文献１〜３では、互い違いの押圧部材によってカーテン生地を両方向から挟み込んで襞形状に保持しているので、組み立てセット作業（挟み込み作業）が容易ではない。しかも、特許文献１では押圧部材の具体的構成が開示されておらず、どのようにセットされるかは不明である。特許文献２，３では上枠と下枠を使用しているので、カーテン生地をセットした状態の保形ユニット重量が大きくなり、処理釜内への搬送にも労を要する。
【０００８】
また、特許文献１及び特許文献２では、挟持されたカーテン生地の両端は固定されていない。これでは、カーテン生地に弛みが生じ得る。この状態で加熱冷却しても、良好な襞を附形することはできない。なお、特許文献１では紐で固定しているが、カーテン生地をセットした保形ユニットの反り返りを防止する程度であって、積極的に圧締めしている訳ではない。これに対し特許文献３では、挟持したカーテン生地の両端をクリップ固定している。これにより、カーテン生地には幅方向へ一定のテンションが作用するので、良好な襞を形成し得る。しかし、上枠と下枠とによって挟持したうえでクリップ固定するのは、煩雑である。
【０００９】
特許文献４では、所定の襞形状を有する襞型上にカーテン生地を載置するだけなので、カーテン生地のセットが容易である。しかし、襞型の下方から吸引することでカーテン生地を襞型に固定しているだけなのでカーテン生地が安定せず、良好に襞形状を転写するには限界がある。吸引力を高めればカーテン生地を襞型へ強固に密着させることができるが、その場合、通気孔形状もカーテン生地に転写されるおそれがある。一方、特許文献５では、カーテン生地に熱可塑性樹脂及び熱硬化性樹脂の混合物を含浸させているので、材料コストが嵩んでしまう。
【００１０】
そこで、本発明は上記課題を解決するものであって、簡素な構成でカーテン生地のセットが容易でありながら良好な襞を確実に附形できる、カーテンの襞付け方法、及びこれに使用する襞付け器具を提供する。
【課題を解決するための手段】
【００１１】
上記課題を解決する手段として、カーテン生地に熱を加えて襞を附形するカーテンの襞付け方法であって、予め襞形状に湾曲させた二枚の波形型紙の間にカーテン生地を挟み込んだ挟持体に対し、該挟持体の襞形状の各山部の裏面に、それぞれ前記各山部と同じ形状の支持面を有する保形部材を配したうえで、これらの外周を帯ベルトで圧締めした状態で蒸熱して、前記カーテン生地に襞を附形する方法が提案される。
【００１２】
このとき、各山部の裏面には、個々独立した保形部材単体をそれぞれ配すこともできるが、前記各保形部材を互いに連結して、複数の保形部材が並列した一つの襞付け器具とすることが好ましい。この場合、前記二枚の型紙の間にカーテン生地を挟み込んだ挟持体は、前記襞付け器具上に載置すればよい。
【００１３】
また、前記襞付け器具を、前記各保形部材の間隔を拡縮可能なように左右方向へ伸縮自在としたうえで、前記挟持体は前記襞付け器具をある程度拡げた状態で載置し、前記帯ベルトで圧締めする際に、前記挟持体の襞形状の谷部を前記各保形部材の間に挟み込むことが好ましい。
【００１４】
また、前記帯ベルトで圧締めする際には、該帯ベルトの内側に添え板を配すことが好ましい。さらに、前記帯ベルトの端部には、面ファスナーを設けることが好ましい。
【００１５】
また、カーテン生地を襞形状に保形した状態で蒸熱して、前記カーテン生地に襞を附形する際に前記襞形状を保形するための襞付け器具であって、それぞれ前記襞形状の山部と同じ形状の支持面を有する複数の保形部材が並設されており、前記各保形部材が、該各保形部材に回動自在に軸支されたリンクを介して、互いの間隔を拡縮自在に連結されている襞付け器具も提案される。
【００１６】
前記各保形部材は、平坦な底面を有する中空筒状に形成することが好ましい。また、前記各保形部材には、全体にわたって複数の通気孔を穿設することが好ましい。
【発明の効果】
【００１７】
本発明の襞付け方法によれば、二枚の型紙の間にカーテン生地を挟み込んだ挟持体の襞形状の各山部の裏面に保形部材を配したうえで、これらの外周を帯ベルトで圧締めした状態で蒸熱しているので、カーテン生地を襞形状で確り固定することができる。この状態で蒸熱することで、良好な襞が確実に附形されたカーテンを得ることができる。また、保形部材は挟持体の裏面のみに配せばよいので、上枠と下枠とによって挟み込むよりも簡単にセットすることができる。しかも、挟持体の片面（裏面）のみに保形部材を配しているだけなので、帯ベルトで圧締めした保形ユニットの重量も、上枠と下枠とを使用した保形ユニットに比べて軽量化することができる。また、カーテン生地には帯ベルトによる締圧力が作用しているので、従来技術よりも低い温度でも確実に襞を附形することが可能となる。従来技術よりも低温で処理できれば、エネルギーコストの削減にも有利となる。
【００１８】
各保形部材を互いに連結した一つの襞付け器具とすれば、挟持体を襞付け器具上に載置すればよいだけなので、挟持体のセットがより簡単となる。
【００１９】
襞付け器具を左右方向へ伸縮自在としていれば、種々のピッチの襞形状へ対応させることができる。しかも、襞付け器具をある程度拡げた状態で挟持体を載置し、帯ベルトで圧締めする際に襞形状の谷部を各保形部材の間に挟み込んでいれば、凹凸がはっきりした綺麗な襞を附形することができ、カーテンの意匠性が向上する。
【００２０】
帯ベルトで圧締めする際に添え板を配しておけば、帯ベルトの締圧力による保形ユニットの座屈ないし反り返りを防止することができる。帯ベルトの端部に面ファスナーを設けておけば、帯ベルトの巻き付けが容易である。また、種々の保形ユニット寸法に対応させることができるほか、帯ベルトによる締圧力の調整も可能となる。
【００２１】
また、本発明の襞付け器具によれば、簡素な構成でカーテン生地のセットが容易でありながら、良好な襞を確実に附形できる。各保形部材の底面が平坦であれば、襞付け器具の底面も平坦となる。これにより、複数の保形ユニットを安定して上下に重ねることができる。複数の保形ユニットを上下に安定して重ねられれば、保管面積の縮小に有利である。また、一度に複数の保形ユニットを処理釜へ搬入できるので、処理効率（生産性）も向上する。各保形部材が中空筒状であれば、襞付け器具を軽量化できる。このとき、各保形部材に通気孔を穿設しておけば、蒸気による加熱効率が向上するので、より効率良く襞を附形することができる。また、生産性も向上する。
【図面の簡単な説明】
【００２２】
【図１】襞付け器具を縮めた状態の斜視図である。
【図２】襞付け器具を拡げた状態の斜視図である。
【図３】襞付け器具へカーテン生地をセットする状態を示す斜視図である。
【図４】帯ベルトで圧締めした状態の斜視図である。
【図５】処理釜の断面模式図である。
【発明を実施するための最良の形態】
【００２３】
以下に、図面を参照しながら本発明の代表的な実施形態について説明するが、これに限定されることはなく、本発明の要旨を変更しない範囲で種々の変更が可能である。本実施形態では、予め襞形状に湾曲させた二枚の波形型紙の間にカーテン生地を挟み込んだ挟持体に対し、該挟持体の襞形状の各山部の裏面にそれぞれ保形部材を配したうえで、これらの外周を帯ベルトで圧締めした状態で蒸熱して、カーテン生地に襞を附形する。先ず、カーテン生地を襞形状で保形する保形部材について説明する。
【００２４】
図１に示すように、各保形部材１１は中空筒状の部材であって、平坦な底面１１ａと、該底面１１ａの左右側縁から上方へ立設する側面１１ｂと、左右両側面１１ｂの上縁を繋ぎ、保形部材１１の天面となる支持面１１ｃとから成る。各保形部材１１の長さは、成型するカーテン生地２０（図３参照）の長さ（高さ）より長く形成されている。各保形部材１１の支持面１１ｃは、附形したい襞の山部、すなわち型紙２１における各山部２１ａ（図３参照）の形状と同じ形状となっている。詳しくは、型紙２１における各山部２１ａと同じ曲率半径の湾曲面となっている。各保形部材１１の幅寸法（左右寸法）は、附形したい襞の山部のピッチとなる。
【００２５】
各保形部材１１には、全体にわたって複数の通気孔１３が穿設されている。各保形部材１１は、帯ベルト１５（図４参照）の圧締力によって変形しない程度の強度と、カーテン生地２０を附形する際の熱によって変形しない程度の耐熱性を有する素材であれば、特に限定されない。具体的には、ステンレスやアルミニウム等の金属、セラミックス、木材のほか、融点ないし軟化点が１５０℃程度以上の合成樹脂も使用できる。中でも、強度、耐熱性、成形性、コスト等の点において金属又は木材が好ましい。最も好ましくは、強度確保と軽量化が可能なアルミニウムである。
【００２６】
各保形部材１１同士は左右に並列されて、一つの襞付け器具１０とされている。各保形部材１１同士は、隣り合う保形部材１１間に回動自在に軸支されたリンク棒１２を介して互いに連結されている。これにより、襞付け器具１０は、各保形部材１１の間隔を拡縮可能となっている。すなわち、図１に示す縮めた状態と、図２に示す拡張した状態（伸ばした状態）との間において、左右方向へ伸縮自在となっている。各リンク棒１２は、各保形部材１１の底面１１ａの下面に設けられている。リンク棒１２は、襞付け器具１０（各保形部材１１）の長手方向両端部に二列設けられている。襞付け器具１０を縮めた状態における幅寸法は、附形したいカーテン生地２０の幅寸法より大きい。これに応じて、襞付け器具１０における保形部材１１の並列数も設定される。襞付け器具１０における保形部材１１の並列数は、少なくとも型紙２１における山部２１ａの数以上である。
【００２７】
次に、カーテン生地２０への襞付け方法について説明する。先ず、図３に示すように、襞付け器具１０をある程度伸ばして各保形部材１１の間隔を拡げた状態で型紙２１を載置する。型紙２１は厚紙（耐熱用クラフト紙）から成り、公知の手段によって予め複数の山部２１ａと谷部２１ｂとが交互に連続する襞形状に湾曲附形されている。したがって、型紙２１の各山部２１ａの裏面に各保形部材１１の支持面１１ｃが配されるように載置する。次いで、襞付け器具１０上に載置した型紙２１の上方に、予め所定寸法に裁断されたカーテン生地２０を載置する。なお、型紙２１の面積（上下左右寸法）は、カーテン生地２０の面積とほぼ同じである。次いで、カーテン生地２０の上方に二枚目の型紙２１を載置して押し付けることで、カーテン生地２０を上下二枚の型紙２１で挟持する。これにより、カーテン生地２０が上下の型紙２１の形状に沿って挟持された挟持体２５が、襞付け器具１０上に載置された状態となる。なお、襞付け器具１０上には、カーテン生地２０を二枚の型紙２１で挟持した挟持体２５としたうえで載置してもよい。
【００２８】
次いで、図４に示すように、襞付け器具１０を縮める。このとき、挟持体２５の各谷部２５ｂが、各保形部材１１の間に挟み込まれる。一方、挟持体２５の各山部２５ａの裏面には、各保形部材１１の支持面１１ｃによって確り支持されている。次いで、挟持体２５が載置された襞付け器具１０の周りを、挟持体２５を含めて帯ベルト１５によって圧締めし、保形ユニット２６とする。このとき、帯ベルト１５の内側には、添え板１６を介在させておく。これにより、帯ベルト１５の圧締力による保形ユニット２６の座屈ないし反り返りが防止される。添え板１６の長さは、少なくとも保形ユニット２６すなわち縮めた状態における襞付け器具１０の幅寸法の１／２以上、好ましくは僅かに短い程度とする。添え板１６の素材も、帯ベルト１５による圧締力によって変形しない程度の強度と、カーテン生地２０を附形する際の熱によって変形しない程度の耐熱性を有する素材であれば、特に限定されない。具体的には、金属、セラミックス、木材などを使用できる。中でも、コスト面から木材が好ましい。
【００２９】
帯ベルト１５の先端部には、面ファスナー１７が設けられている。これにより、帯ベルト１５によって容易に圧締めできる。なお、帯ベルト１５が不織布のように面ファスナー１７が係着できる素材であれば、面ファスナー１７は帯ベルト１５の一端部のみに設ければよいが、帯ベルト１５が面ファスナー１７と係着しない素材であれば、帯ベルト１５の他端部にも雌ファスナーを設けておく。帯ベルト１５の巻きつけ本数は、襞付け器具１０や挟持体２５の長さや求められる圧締力などに応じて適宜設定すればよい。したがって、帯ベルト１５は、保形ユニット２６を確実に圧締めできれば、一本のみで巻きつけてもよいが、好ましくは複数本巻きつける。本実施形態では、三本の帯ベルト１５によって圧締めした。
【００３０】
次に、附形処理について説明する。図５に示すように、複数の保形ユニット２６を台車３０に積層したうえで処理釜３１へ搬入し、蒸熱する。処理釜３１は、耐熱性及び耐圧性を有する密閉容器である。処理釜３１へは、ボイラー３２から蒸気管３３を介して蒸気が導入される。また、処理釜３１には排気管３４も連結されている。排気管３４には、図外の真空ポンプが連結されている。保形ユニット２６を処理釜３１へ搬入したら、図外の真空ポンプによって処理釜内を真空脱気する。ある程度脱気できたところで、次いで、ボイラー３２から処理釜３１内へ蒸気を導入して加圧状態（例えば７０〜８０気圧程度）とし、カーテン生地２０を加熱する。このとき、各保形部材１１は長手方向両端が開口する中空筒状であり、且つ全体にわたって多数の通気孔１３が穿設されていることで、カーテン生地２０（挟持体２５）へ迅速且つ的確に熱が作用する。
【００３１】
ここでのカーテン生地２０は、ポリエステル、ナイロン、アクリル等の熱可塑性樹脂繊維を主体とする生地である。これらは、単体繊維を使用しても良いし、これらの混合繊維を使用することもできる。これら熱可塑性樹脂繊維の使用量は、カーテン生地２０において少なくとも５０％以上とする。熱可塑性樹脂繊維の使用量が少ないと、蒸熱によって良好に附形できなくなるからである。したがって、熱可塑性樹脂繊維の使用量はできるだけ多い方が好ましい。好ましくは８０％以上、最も好ましくは１００％である。一方、カーテン生地２０には、附形性を阻害しない範囲で、綿などの天然繊維や、レーヨンなどの半合成繊維を使用することもできる。
【００３２】
カーテン生地２０は、従来技術と同様に、蒸熱と加圧とによって所定の襞形状に附形される。そのうえで、本実施形態では、カーテン生地２０は保形ユニット２６によって的確に保形されながら、圧締力も作用している。これにより、襞形状が従来よりもくっきりと附形され、意匠性の良好なカーテンとすることができる。しかも、従来よりも低温で附形することができる。例えばポリエステル製のカーテン生地であれば、従来は過熱蒸気によって１１０〜１３０℃程度で蒸熱附形されていたが、本実施形態によれば、１００℃未満（例えば９５〜９９℃程度）の過熱していない蒸気でも良好に附形できる。この場合、過熱に要するエネルギーコストを削減できる。実際に、ポリエステル１００％のカーテン生地を、７６気圧９５℃の蒸気で１８分間附形しても、良好な襞が現出していた。もちろん、１００℃を超える過熱蒸気を使用してもよい。また、襞形状の各谷部（挟持体２５の各谷部２５ｂ）が各保形部材１１の間に挟まれているので、襞形状の各谷部は折り目のようになっている。これにより、従来の緩やかな湾曲形状が連続した襞よりもメリハリが付き、さらに意匠性が向上する。
【００３３】
（変形例）
各保形部材１１は、リンク棒１２を介して互いに拡縮自在に連結した襞付け器具１０とせず、別個独立した部材とすることもできる。この場合は、挟持体２５の各山部２５ａの裏面に、順次保形部材１１を配していけばよい。各保形部材１１は、中空筒状に限らず、中実棒状とすることもできる。また、通気孔１３は、必ずしも穿設しなくてもよい。各保形部材１１の底面１１ａは平坦でなくてもよい。例えば底面１１ａは、Ｖ字型としたり、支持面１１ｃと同様の円弧面としたりできる。また、側面１１ｂはなくてもよい。この場合、底面１１ａを支持面１１ｃと同様の円弧面とすれば、各保形部材１１は円筒又は円柱形となる。さらには、底面１１ａと側面１１ｂの双方を廃して、湾曲した支持面１１ｃのみによって各保形部材１１を構成することもできる。
【００３４】
リンク棒１２は、二列のみならず、一列又は三列以上設けることもできる。保形部材１１の並列個数が少なければ、必ずしも添え板１６を介在させなくともよい。帯ベルト１５には、面ファスナー１７以外にも、雄雌ボタン、通常のファスナー、又はフックなどによって係止することもできる。各保形ユニット２６は、台車３０に載置して処理釜３１に搬入するほか、１つないし複数の保形ユニット２６を直接処理釜３１内へセットしてもよい。
【符号の説明】
【００３５】
１０  襞付け器具
１１  保形部材
１１ｃ  支持面
１２  リンク棒
１３  通気孔
１５  帯ベルト
１６  添え板
１７  面ファスナー
２０  カーテン生地
２１  型紙
２５  挟持体
２６  保形ユニット
３１  処理釜
３２  ボイラー
【図１】
2011256478.tif 000003
【図２】
2011256478.tif 000004
【図３】
2011256478.tif 000005
【図４】
2011256478.tif 000006
【図５】
2011256478.tif 000007
【手続補正書】
【提出日】平成22年8月9日(2010.8.9)
【手続補正１】
【補正対象書類名】特許請求の範囲
【補正対象項目名】全文
【補正方法】変更
【補正の内容】
【特許請求の範囲】
【請求項１】
カーテン生地に熱を加えて襞を附形するカーテンの襞付け方法であって、
予め襞形状に湾曲させた二枚の波形型紙の間にカーテン生地を挟み込んだ挟持体に対し、該挟持体の襞形状の各山部の裏面に、それぞれ前記各山部と同じ形状の支持面を有する保形部材を配したうえで、これらの外周を帯ベルトで圧締めした状態で蒸熱して、前記カーテン生地に襞を附形し、
前記各保形部材は互いに連結されて、複数の保形部材が並列した一つの襞付け器具とされており、
前記二枚の型紙の間にカーテン生地を挟み込んだ挟持体を、前記襞付け器具上に載置し、
前記襞付け器具は、前記各保形部材の間隔を拡縮可能なように左右方向へ伸縮自在であり、
前記挟持体は、前記襞付け器具を拡げた状態で載置し、前記帯ベルトで圧締めする際に、前記挟持体の襞形状の谷部を前記各保形部材の間に挟み込む、カーテンの襞付け方法。
【請求項２】
前記帯ベルトで圧締めする際に、該帯ベルトの内側に添え板を配している、請求項１に記載のカーテンの襞付け方法。
【請求項３】
前記帯ベルトの端部には、面ファスナーが設けられている、請求項１または請求項２に記載のカーテンの襞付け方法。
【請求項４】
カーテン生地を襞形状に保形した状態で蒸熱して、前記カーテン生地に襞を附形する際に前記襞形状を保形するための襞付け器具であって、
それぞれ前記襞形状の山部と同じ形状の支持面を有する複数の保形部材が並設されており、
前記各保形部材が、該各保形部材に回動自在に軸支されたリンクを介して、互いの間隔を拡縮自在に連結されている、襞付け器具。
【請求項５】
前記各保形部材は、平坦な底面を有する中空筒状を呈する、請求項４に記載の襞付け器具。
【請求項６】
前記各保形部材には、全体にわたって複数の通気孔が穿設されている、請求項４または請求項５に記載の襞付け器具。